(57)【要約】【課題】農家への労力やコストなどの負担を軽減できるとともに、効率的に汚れを落とすことができる園芸施設用の清掃具を提供する。【解決手段】プラスチックハウス１０の外表面を清掃するための清掃具１であって、細長形状のプラスチックフィルムからなる１つ又は複数のはたき片２０と、１つ又は複数のはたき片２０を、プラスチックハウス１０の外表面に着脱自在に取り付けるための取付補助具３と、を備え、１つ又は複数のはたき片２０は、風力によりプラスチックハウス１０の外表面を摺動する。【選択図】図７
2014223055.tif 000002
【特許請求の範囲】
【請求項１】
園芸施設の外表面に取り付けられ、園芸施設の外表面を清掃するためのはたき片であって、
細長形状のプラスチック材からなり、
風力により園芸施設の外表面を摺動することを特徴とするはたき片。
【請求項２】
園芸施設の外表面を清掃するための清掃具であって、
細長形状のプラスチック材からなる１つ又は複数のはたき片と、
前記１つ又は複数のはたき片を、園芸施設の外表面に着脱自在に取り付けるための取付補助具と、を備え、
前記１つ又は複数のはたき片は、風力により園芸施設の外表面を摺動することを特徴とする清掃具。
【請求項３】
前記はたき片は帯材からなり、複数の前記帯材の一端部側が纏められていることを特徴とする請求項２に記載の清掃具。
【請求項４】
前記帯材の少なくとも一方の側縁部には、切り込みが間隔をあけて複数形成されていることを特徴とする請求項３に記載の清掃具。
【請求項５】
前記はたき片は紐材よりなり、複数の前記紐材の一端部側が束ねられていることを特徴とする請求項２に記載の清掃具。
【請求項６】
園芸施設の天井面に沿って設置される取付具をさらに備え、
前記取付具は、
前記取付補助具を取り付けることが可能な取付孔と、
前記園芸施設の外表面に沿って張設されるハウスバンドを通すことが可能な挿通孔と、を備えることを特徴とする請求項２〜５のいずれかに記載の清掃具。
【請求項７】
園芸施設の外表面に固定される取付具をさらに備え、
前記取付具は、
金属線を曲げ加工して形成され、園芸施設の被覆フィルムを展張するために園芸施設に設けられる蟻溝フレームの蟻溝に係止可能な本体部と、
前記本体部と一体に設けられ、先端に前記取付補助具を取り付けることが可能なわっか状部を有する取付部と、を備えることを特徴とする請求項２〜５のいずれかに記載の清掃具。
【請求項８】
前記はたき片の表面が害虫や鳥が忌避する色に着色されていることを特徴とする請求項２〜７のいずれかに記載の清掃具。
【発明の詳細な説明】
【技術分野】
【０００１】
本発明は、園芸施設の外表面を清掃するためのはたき片、及び、このはたき片を備える園芸施設用の清掃具に関する。
【背景技術】
【０００２】
従来から、野菜や果物などの植物をプラスチックハウスやガラス温室などの園芸施設で栽培することが広く行われている。この種の園芸施設で野菜や果実などを栽培する際には、施設内の保温及び施設内への太陽光の採光が必要となるが、時間の経過に伴い、塵や埃、花粉などが施設表面に付着したり、苔や藻などが施設表面に発生したりして汚れとなる。園芸施設の外表面が汚れると、施設内への太陽光の採光が汚れにより遮られることで、日射不足が原因で収穫予定時期が遅れたり、収穫量が低下したりするなどの損害を受ける。そのため、汚れを落とすために施設表面をブラシで擦ったり、洗浄機を用いて水を噴射したりするなど、定期的に園芸施設の外表面を人手で清掃することが行われている。
【発明の概要】
【発明が解決しようとする課題】
【０００３】
しかし、園芸施設の清掃作業は重労働であり、農家自らが行うと、多大な労力や時間がかかって農家に大変な負担となるだけでなく、水や電気等の動力を使用するのでランニングコストも必要となる。また、園芸施設の天井部を清掃する作業などは、足を滑らせて落下するおそれがあり、清掃作業に危険が伴うという問題がある。一方で、外部の業者に清掃作業を委託すると、清掃コストが嵩むという問題がある。また、特にプラスチックハウスの表面をブラシ等で強く擦ると、フィルムに傷が付き、曇りガラスのようになって、採光性が低下するという問題がある。
【０００４】
本発明は、上記した問題に着目してなされたもので、極力、農家への労力やコストなどの負担を軽減できるとともに、効率的に汚れを落とすことができる園芸施設清掃用のはたき片及び園芸施設用の清掃具を提供することを目的とする。
【課題を解決するための手段】
【０００５】
本発明の上記目的は、園芸施設の外表面に取り付けられ、園芸施設の外表面を清掃するためのはたき片であって、細長形状のプラスチック材からなり、風力により園芸施設の外表面を摺動することを特徴とするはたき片によって達成される。
【０００６】
また、本発明の上記目的は、園芸施設の外表面を清掃するための清掃具であって、細長形状のプラスチック材からなる１つ又は複数のはたき片と、前記１つ又は複数のはたき片を、園芸施設の外表面に着脱自在に取り付けるための取付補助具と、を備え、前記１つ又は複数のはたき片は、風力により園芸施設の外表面を摺動することを特徴とする清掃具によって達成される。
【０００７】
上記構成のはたき片及び清掃具の好ましい実施態様は、前記はたき片は帯材からなり、複数の前記帯材の一端部側が纏められていることを特徴としている。
【０００８】
さらに好ましい実施態様は、前記帯材の少なくとも一方の側縁部には、切れ込みが間隔をあけて複数形成されていることを特徴としている。
【０００９】
また、上記構成のはたき片及び清掃具の他の好ましい実施態様は、前記はたき片は紐材よりなり、複数の前記紐材の一端部側が束ねられていることを特徴としている。紐材は、１本の細長い紐状のもの、コード状のもの、単一ロープ状のものなどで構成することもできるが、複数で構成することもできる。
【００１０】
また、上記構成の清掃具のさらに好ましい実施態様は、園芸施設の天井面に沿って設置される取付具をさらに備え、前記取付具は、前記取付補助具を取り付けることが可能な取付孔と、前記園芸施設の外表面に沿って張設されるハウスバンドを通すことが可能な挿通孔と、を備えることを特徴としている。
【００１１】
また、上記構成の清掃具のさらに好ましい実施態様は、園芸施設の外表面に固定される取付具をさらに備え、前記取付具は、金属線を曲げ加工して形成され、園芸施設の被覆フィルムを展張するために園芸施設に設けられる蟻溝フレームの蟻溝に係止可能な本体部と、前記本体部と一体に設けられ、先端に前記取付補助具を取り付けることが可能なわっか状部を有する取付部と、を備えることを特徴としている。
【００１２】
また、上記構成のはたき片及び清掃具のさらに好ましい実施態様は、前記はたき片の表面が害虫や鳥が忌避する色、例えば銀色などに着色されていることを特徴としている。
【発明の効果】
【００１３】
本発明によれば、風力によりはたき片が揺り動かされて園芸施設の外表面（施設表面）を摺動することで、はたき片により施設表面に付着した塵や埃等がはたかれて施設表面から払い落とされる。よって、施設表面の汚れを効率的に除去することができる。このように、本発明の清掃具を施設表面に取り付けるだけで、人手を要することなく、また、ランニングコストもかかることなく自然の力だけで施設表面を清掃することができるので、清掃作業に要する労力やコストなどの負担を軽減できる。
【図面の簡単な説明】
【００１４】
【図１】本発明の一実施形態に係る清掃具の側面図である。
【図２】図１の清掃具の平面図である。
【図３】他の実施形態に係る清掃具の側面図である。
【図４】取付具の平面図である。
【図５】図４の取付具の側面図である。
【図６】図４の取付具の正面図である。
【図７】清掃具を園芸施設に取り付けた状態を示す説明図である。
【図８】清掃具を園芸施設に取り付けた状態を示す説明図である。
【図９】他の実施形態に係る取付具の平面図である。
【図１０】他の実施形態に係る取付具の平面図である。
【図１１】他の実施形態に係る取付具の平面図である。
【図１２】図１１の取付具の斜視図である。
【図１３】蟻溝フレームの斜視図である。
【図１４】他の実施形態に係る取付具の斜視図である。
【図１５】他の実施形態に係る取付具の平面図である。
【図１６】図１５の要部を拡大する斜視図である。
【図１７】他の実施形態に係る清掃具の側面図である。
【図１８】他の実施形態に係る清掃具の側面図である。
【発明を実施するための形態】
【００１５】
以下、本発明の実施形態について添付図面を参照して説明する。なお、本発明は、下記の実施形態に限定されるものではない。
【００１６】
図１及び図２は、本発明の一実施形態に係る清掃具１の外観構成を示している。本発明の清掃具１は、プラスチックハウスやガラス温室などの野菜や果物などの植物を栽培するための園芸施設のひとつプラスチックハウス１０（図７に示す）の外表面を清掃するためのものであり、１つ又は複数のはたき片２０と、はたき片２０をプラスチックハウス１０の外表面（ハウス表面）に着脱自在に取り付けるための取付具３とを備えている。
【００１７】
プラスチックハウス１０は、本実施形態では、アルミニウムや鉄鋼製のパイプ材などからなる骨組材を組み上げ、骨組材に沿って主原料合成樹脂からなる被覆フィルム１５を展張して構成されるプラスチックハウス（パイプハウス）を例にして説明している。また、本実施形態のプラスチックハウス１０は、図７に示すように、その外表面に沿って縦方向（上下方向）に延びるハウスバンド１３が張設され、展張された被覆フィルム１５がハウスバンド１３を用いて風で飛ばされたり、ばたついたりしないように押さえられているタイプのプラスチックハウス（ハウスバンド使用ハウス）である。また、プラスチックハウス１０には、必要に応じて外表面に沿って横方向（奥行き方向）に延びるハウスバンド（図示せず）が張設されていてもよい。この種のプラスチックハウス１０は、時間の経過に伴い、ハウス外表面に塵や埃、花粉などが付着したり、苔や藻が発生したりするなどして汚れとなるが、本発明の清掃具１をハウス表面に取り付けることで、効率的にハウス表面の汚れを落とすことが可能となる。
【００１８】
はたき片２０は、図１及び図２に示すように、細長形状であり、本実施形態では、所定の幅を有する帯状の帯材により形成されている。はたき片２０は、透明なプラスチックフィルムからなり、塩化ビニルフィルムやポリオレフィンフィルムなどを好ましく例示することができるが、この中でも、適度な強度と、耐久性を高めるために、ポリオレフィンフィルムを好適に用いることができる。また、プラスチックフィルムには、必要な物性、機能に応じて種々の添加剤を加えることができるが、プラスチックフィルムに耐久性を高めるために、耐候剤を添加することが好ましい。
【００１９】
本実施形態では、複数の帯状のはたき片２０の一端部側が纏められている。例えば、本実施形態では、帯状のはたき片２０の一端部側の幅方向中央位置に貫通孔２１が形成されている。複数のはたき片２０が重ねられ、貫通孔２１にリング２２が通されることで、複数のはたき片２０が纏められている。はたき片２０の貫通孔２１の孔周縁は、例えば鳩目加工などにより補強されている。
【００２０】
なお、複数のはたき片２０の纏め方としては、リング２２を用いた方法に限られるものではなく、リング２２以外にも、紐やわっか状にできるプラスチック製の留具の他、図３に示すような、略Ｃ字状のリング部材２６とリング部材２６の一端部２６Ａに回転可能かつスライド可能に設けられた筒状の金具２７とからなる公知のネジ式キーホルダー２５を用いることもできる。このネジ式キーホルダー２５は、金具２７の内周面に形成された雌ネジ（図示せず）をリング部材２６の他端部２６Ｂに形成された雄ネジ（図示せず）に螺合させて、リング部材２６の一端部２６Ａ及び他端部２６Ｂの間の開口（図示せず）を閉じることで、複数のはたき片２０を纏めることができる。また、クリップなどを用いて複数のはたき片２０の一端部側を挟むようにして纏めてもよい。ただし、リング２２やネジ式キーホルダー２５などを用いて纏めると、図８に示すように、リング２２などにより纏められた各はたき片２０がリング２２などを軸にばらばらに面内を回転するので、ハウス表面に取り付けた際に、各はたき片２０が風力により重ならずに個別に揺り動かされてハウス表面を摺動する。よって、各はたき片２０が自在に摺動して有効にはたきとしての機能を発揮する結果、ハウス表面の汚れを効果的に除去することができる。
【００２１】
はたき片２０の厚みは、特に限定されるものではないが、雨や風さらにはハウス表面の摺動に対する強度や、風に舞ってハウス表面を揺れ動くための重さなどを考慮して５０μｍ〜２００μｍ程度が好ましく、１５０μｍ程度がより好ましい。また、はたき片２０の幅は、特に限定されるものではないが、はたきとしての使用形態上、３ｃｍ〜１５ｃｍ程度が好ましく、５ｃｍ〜１０ｃｍ程度がより好ましい。また、はたき片２０の長さは、植物栽培ハウス１０の規模や設置場所の高低により適宜設定されるが、植物栽培ハウス１０の天井部１１から肩部１２まで延びる程度（１ｍ〜５ｍ程度）であることが好ましい。また、纏められるはたき片２０の枚数としては、特に限定されるものではないが、重くならずかつ互いに絡まずに風に舞ってハウス表面を揺れ動くためには、１〜１０枚程度が好ましく、３枚〜５枚程度がより好ましく、２枚がさらに好ましい。なお、清掃具１を１枚のはたき片２０だけを用いて構成しても構わない。
【００２２】
はたき片２０の両側縁部には、複数の切り込み２３が所定間隔をあけて形成されている。これにより、はたき片２０の両側縁部は、複数のひだ２４が連続して並べられた形状となっている。はたき片２０がハウス表面を風力により揺れ動いて摺動する際に、複数のひだ２４も風力によりぱたぱたと揺れ動くことで、ひだ２４によってもハウス表面に付着した塵や埃などがはたかれるようになっている。よって、はたき片２０のはたきとしての機能を向上させることができる結果、ハウス表面の汚れの除去効果を向上させることができる。
【００２３】
取付補助具３は、本実施形態では、はたき片２０をハウス表面に取り付けるためのフック部３０と、はたき片２０とフック部３０とをフリーな状態（フック部３０に対してはたき片２０が前後左右に回転可能な状態）で連結するためのチェーンリンク部３１とを備えている。このような取付補助具３としては、本実施形態のものに限られるものではなく、従来からキーホルダーなどに用いられているような公知のものを用いることができるが、はたき片２０とフック部３０とがフリーな状態で連結可能であれば、はたき片２０をハウス表面に取り付けた際に、はたき片２０がフック部３０を軸に面内を回転するので、風力によりはたき片２０が広域に揺り動かされてはたき片２０をハウス表面の広範囲にわたって摺動させることができる。その結果、ハウス表面に付着した塵や埃などがはたき片２０により広範囲にわたってはたかれるようになっている。
【００２４】
フック部３０を、例えばハウス表面を横方向に延びるハウスバンド（図示せず）やパイプ材などの骨組材に引っ掛けることで、はたき片２０をハウス表面に取り付けることもできるが、本実施形態では、取付補助具３をハウス表面に簡易に取り付けるための取付具４がさらに備えられている。取付具４は、図４〜図６に示すように、プラスチックハウス１０の天井部１１に沿って設置され、平板状の基部４０と、基部４０の長さ方向中央位置に一体に立設された立壁部４１とで構成されている。取付具４は、透明であり、かつ、可撓性を有する材料により形成されており、例えば合成樹脂フィルム及び複合素材により形成される。基部４０の長さ方向両端部には、ハウス表面を縦方向に延びるハウスバンド１３を通すことが可能な挿通孔４２が間隔をあけて複数（図示例では３つ）形成されている。また、立壁部４１には、取付具３のフック部３０を引っ掛けることが可能な取付孔４３が間隔をあけて複数（図示例では２つ）形成されている。各挿通孔４２及び各取付孔４３の孔周縁は、例えば鳩目加工などにより補強されている。
【００２５】
図７及び図８に示すように、ハウス表面を縦方向に延びるハウスバンド１３を取付具４の両サイドの挿通孔４２に通して折り返し、両端の取付具４の外側の挿通孔４２に通されたハウスバンド１３は、そのまま、例えば地中に固定されたバンド係止具１４に結着する。一方で、その他のハウスバンド１３は、隣接する取付具４の挿通孔４２に通されたハウスバンド１３と結ばれた後、地中に固定されたバンド係止具１４に結着する。これにより、ハウスバンド１３が張設されるとともに、取付具４がプラスチックハウス１０の天井部１１に固定される。そして、天井部１１に固定された取付具４の取付孔４３に取付具３のフック部３０を引っ掛けることで、はたき片２０をハウス表面に着脱自在に装着できる。本実施形態では、取付具４の一方の取付孔４３に取り付けられたはたき片２０は、天井部１１を境にハウス１０の一方側の表面（図７では左側の面、図８では手前側の面（実線で示されている））に、取付具４の他方の取付孔４３に取り付けられたはたき片２０は、ハウス１０の上記とは反対側の表面（図７では右側の面、図８では奥側の面（点線で示されている））に、それぞれ配置されている。なお、ハウスバンド１３の張設する方法は、本実施形態で示す例に限られるものではなく、種々の方法を用いることができる。また、ハウスバンド１３は、本実施形態では、地中に固定されたバンド係止具１４に結着して固定するようにしているが、例えば、骨組材としてプラスチックハウス１０の下方の縁に設けられる裾パイプに結着して固定するようにしてもよいし、プラスチックハウス１０の肩部１２に設けられるパイプに結着して固定するようにしてもよい。
【００２６】
なお、取付具４は、図４〜図６に示された構成のものに限られるものではなく、例えば、図９に示すように、平板状の基部４４のみで構成してもよい。図９に示す構成の取付具４は、基部４４の長さ方向両端部に、縦方向に延びるハウスバンド１３を通すことが可能な挿通孔４２と、取付具３のフック部３０を引っ掛けることが可能な取付孔４３とが形成されており、ハウス表面を縦方向に延びるハウスバンド１３を挿通孔４２に通し、取付孔４３に取付具３のフック部３０を引っ掛けることで、取付具４をプラスチックハウス１０の天井部１１に固定して、はたき片２０をハウス表面に装着することもできる。
【００２７】
また、取付具４は、図４〜図６、図９のような構成のものに限られるものではなく、例えば、図１０に示すように、細長丸棒形状の支柱４５と、支柱４５の両端部に一体形成された支柱台４６とで構成することもできる。支柱台４６の裏面を粘着テープ４７などを介してハウス表面（被覆フィルム１５）に貼り付けることで、ハウス表面に支柱４５を横方向に延びるように取り付ける。そして、この支柱４５に取付補助具３のフック部３０を引っ掛けることで、はたき片２０をハウス表面に装着することもできる。この場合には、はたき片２０をハウス表面の横方向に自由にスライドさせることが可能となる。
【００２８】
また、取付具４は、図１１及び図１２に示すように、硬質の合成樹脂製の筒状ホルダー４８(通称パッカー)にわっか状の留具４９を新たに付帯させた構成とすることもできる。筒状ホルダー４８は、円形の一部に開口４８Ａを設けた断面視Ｃ字状に形成されており、開口４８Ａを介してプラスチックハウス（パイプハウス）のパイプ材などの骨組材に着脱自在である。そして、筒状ホルダー４８の留具４９に取付補助具３のフック部３０を引っ掛けることで、はたき片２０をハウス表面に装着することもできる。なお、留具４９は、筒状ホルダー４８に対して回転式としてもよいが固定式としてもよい。また、留具４９は、わっか状のものの他、詳細は後述するが、円柱状の土台部５８と、土台部５８に取り付けられた略Ｕ字状の鈎部５９とを備えた留具５７（図１５に示す）であってもよく、土台部５８を筒状ホルダー４８に取り付けて、鈎部５９に取付補助具３のフック部３０を引っ掛けることで、はたき片２０をハウス表面に装着することもできる。
【００２９】
また、ハウスバンドではなく、図１３に示すようなビニペット（登録商標）と称する蟻溝フレーム６を骨組材に横方向又は縦方向に架設し、この蟻溝フレーム６に弾性な係止線条を介して被覆フィルム１５を展張している構成のプラスチックハウス（ビニペット（登録商標）使用ハウス）では、蟻溝フレーム６に取付補助具３のフック部３０を引っ掛けることで、はたき部材２をハウス表面に装着することもできる。なお、蟻溝フレーム６は、一般的に、平板状の底部６１と、底部６１の両側縁から長手方向に沿って延びる左右一対の側部６２とからなり、一対の側部６１が内側に向けて斜めに起立していることで、その間に上方に向けて巾峡の蟻溝６０が形成されたものである。この蟻溝フレーム６に取付補助具３のフック部３０を取り付ける際には、図１４に示すような取付具４を用いて蟻溝フレーム６に取付補助具３のフック部３０を取り付けることもできる。図１４に示す取付具４は、金属線を曲げ加工して形成されており、一般にスプリングと呼ばれるプラスチックハウス１０の被覆フィルム１２を蟻溝フレーム６に挟み付け固定するための係止線条を加工したものであり、金属線を曲げ加工して形成されている。この取付具４は、本体部５０と取付部５１とを備えている。本体部５０は、交互に連続する上辺部５２及び下辺部５３と、上辺部５２及び下辺部５３を接続する傾斜辺部５４とを有している。本体部５０の上辺部５２から下辺部５３までの高さは、本体部５０がこの蟻溝フレーム６の蟻溝６０に嵌合する大きさに設定されている。取付部５１は、一端側の上辺部５０から前方に突き出た後、上方に延びて螺旋を巻くように屈曲した形状に形成されており、この螺旋を隙間なく接合することで先端にわっか状部５５が形成されている。取付具４は、本体部５０が蟻溝フレーム６の蟻溝６０に嵌合した際、取付部５１は蟻溝フレーム６の側部６２を乗り越えて上端のわっか状部５５が蟻溝フレーム６の上方部乃至下方部に位置する。このわっか状部５５に取付補助具３のフック部３０を引っ掛けることで、はたき片２０をハウス表面に装着することもできる。なお、本実施形態では、本体部５０は、３つの上辺部５２及び２つの下辺部５３が傾斜辺部５４を介して連なっており、５つの辺部５２，５３が蟻溝フレーム６の蟻溝６０に係止していることで、取付具４が蟻溝フレーム６の蟻溝６０から抜け落ちるのを効果的に防止している。よって、辺部５２，５３の数は多い方が取付具４が蟻溝フレーム６の蟻溝６０から抜け落ちるのを防止可能であるため好ましいが、取付具４が蟻溝フレーム６の蟻溝６０から抜け落ちるのを防止可能であれば、辺部５２，５３の数が３つ（２つの上辺部５２及び１つの下辺部５３）であっても構わない。また、本実施形態では、わっか状部５５は、螺旋を隙間なく接合することで形成しているが、取り付けられた取付補助具３が抜け落ちることのない完全なリング状のものであれば、種々の形状に形成することができる。
【００３０】
また、図１５に示すような取付具４を用いて蟻溝フレーム６に取付具３のフック部３０を取り付けることもできる。図１５の取付具４は、蟻溝フレーム６の蟻溝６０に嵌合する大きさに形成された板状のレール５６と、レール５６に取り付けられた留具５７とで構成することもできる。留具５７は、円柱状の土台部５８と、土台部５８に一体に取り付けられた略Ｕ字状の鈎部５９とを備えており、レール５６を貫通する軸６３に土台部５８が回転可能に軸支されている。軸６３の一方の端部には、軸６３から土台部５８が抜け出るのを防止する抜け止め６４が設けられているとともに、軸６３の他方の端部には、軸６３がレール５６から抜け出るのを防止する抜け止め（図示せず）が設けられている。また、土台部５８とレール５６との間にはワッシャ６５が介在されている。この取付具４は、レール５６を蟻溝フレーム６の蟻溝６０に嵌め込み、レール５６のワッシャ６５を中心に、ワッシャ６５の左右の中央位置からレール５６を貫通してボルトナット・ネジなどで軸６３に固定装着がされる。鈎部５９に取付補助具３のフック部３０を引っ掛けることで、はたき部材２をハウス表面に装着することができる。なお、留具５７（土台部５８及び鈎部５９）は、必ずしも回転可能である必要はなく、レール５６に対して固定式であってもよい。また、留具５７は、土台部５８をレール５６に対して固定式に取り付け、鈎部５９を土台部５８に回転可能に取り付けるようにしてもよい。
【００３１】
また、一般にパッカーと呼ばれるプラスチック製又は金属製の止め具を用いたり、ハウスバンドで被覆フィルム１５を展張している構成のプラスチックハウスでは、上記したわっか４９が付帯する特殊パッカーに取付補助具３のフック部３０を引っ掛けることで、はたき部材２をハウス表面に装着することもできる。なお、フック部３０の形状は、支柱４５や上記したビニペット（登録商標）、パッカーなどの取り付け対象物の形状に応じて、取り付けることが可能な形状に適宜変更できる。
【００３２】
上述したとおり、本実施形態の清掃具１によれば、図７及び図８に示すように、風力により、ハウス表面に取り付けられたはたき片２０がハウス表面を自在に揺れ動き、ハウス表面に当接しながら摺動する。これにより、はたき片２０によりハウス表面に付着した塵や埃などがはたかれてハウス表面から払い落とされるので、ハウス表面の汚れを効率的に除去することができる。よって、ハウス内への太陽光の採光がハウス表面の汚れにより邪魔されることを防止できる。このように、本実施形態の清掃具１によると、清掃具１をハウス表面に取り付けるだけで、人手を要することなく、またランニングコストもかかることなく自然の力だけでハウス表面を清掃することができるので、清掃作業に要する労力やコストなどの負担を大幅に軽減できる。
【００３３】
また、はたき片２０によりハウス表面の塵や埃などをはたき続けると、はたき片２０の表面に塵や埃などが付着するが、はたき片２０が合成樹脂フィルムにより形成されていて、合成樹脂フィルム自体に吸塵性がないため、風やはたき片２０自体の動きにより、はたき片２０に付着した塵や埃などを容易に払い落とすことができるうえ、雨が降れば、雨によりはたき片２０に付着した塵や埃などを簡単に洗い流すことができる。よって、特別なメンテナンスをしなくても、はたき片２０を比較的クリーンな透明状態に維持できるので、はたき片２０の汚れに伴ってハウス内への太陽光の採光が遮られることも防止できる。例えば、はたき片２０を不織布などで構成すると、同様に、はたき片２０のはたき作用によりハウス表面に付着した塵や埃などをハウス表面から払い落とすことはできるが、不織布自体の汚れは、合成樹脂フィルムのように風や雨などで自然に落ちることはなく、汚れを落とすためには、定期的にはたき部材２をハウス表面から取り外して特別な洗浄が必要となる。このように、不織布自体のメンテナンスをしなければ、ハウス内への太陽光の採光が遮られるので、この点で、はたき片２０として合成樹脂フィルムを用いた本実施形態の清掃具１は、はたき片２０に不織布を用いた場合と比べて、定期的なメンテナンスが不要であり、労力やコストの面で顕著な効果を奏する。
【００３４】
以上、本発明の一実施形態について説明したが、本発明の具体的な態様は上記実施形態に限定されない。例えば、上記した実施形態においては、帯状のはたき片２０の両側縁部に複数の切り込み２３が形成されているが、切り込み２３は必ずしも形成されている必要はない。
【００３５】
また、上記した実施形態では、複数の帯状のはたき片２０を重ねて纏めているが、図１７に示すように、１枚の長尺の帯材を複数回折り返すことで、各折り返し片をはたき片２０として複数のはたき片２０を纏めるようにしてもよい。この場合においても、各はたき片２０（折り返し片）の一端部側の幅方向中央位置に貫通孔を形成し、各貫通孔２１にリング２２やネジ式キーホルダー２５などを通すことで、複数のはたき片２０が纏められる。
【００３６】
また、上記した実施形態においては、はたき片２０は帯状の帯材により形成されているが、これに限られるものではなく、例えば、図１８に示すように、プラスチック製の紐状の紐材により形成し、複数の紐材の一端部側を束ねるようにしてもよい。なお、紐材は、１本又は複数の平版・丸形のコードや軟質系の棒状のロープで構成することもできる。
【００３７】
また、はたき片２０の表面を銀色に塗工したり、もしくは、はたき片２０の表面に銀色のフィルムをラミネートコーティング加工を施すことで、はたき片２０の表面を銀色に着色してもよい。これにより、はたき片２０に虫除けや鳥忌避などの機能を付与することもできる。
【００３８】
また、上記した実施形態においては、園芸施設のひとつであるプラスチックハウス１０に清掃具１を取り付けた例を説明したが、ガラス温室などにも本発明の清掃具１を取り付けることは可能である。
【００３９】
また、上記した実施形態においては、取付補助具３によりはたき片２０をハウス表面に取り付けているが、はたき片２０を纏めるためのネジ式キーホルダー２５、リング２２、上記した紐や留具などを、例えば、取付具４の取付孔４３（図６）や支柱４５（図１０）、筒状ホルダー４８の留具４９（図１１）、また、わっか状部５５（図１４）や留具５７（図１６）に取り付けることができる場合には、上記したネジ式キーホルダー２５などが取付補助具３を兼ねることができ、別途、取付補助具３は不要である（図３）。
【符号の説明】
【００４０】
１    清掃具
２    はたき部材
３    取付具
４    取付補助具
４２  挿通孔
４３  取付孔
１０  プラスチックハウス
１３  ハウスバンド
２３  切り込み
【図１】
2014223055.tif 000003
【図２】
2014223055.tif 000004
【図３】
2014223055.tif 000005
【図４】
2014223055.tif 000006
【図５】
2014223055.tif 000007
【図６】
2014223055.tif 000008
【図７】
2014223055.tif 000009
【図８】
2014223055.tif 000010
【図９】
2014223055.tif 000011
【図１０】
2014223055.tif 000012
【図１１】
2014223055.tif 000013
【図１２】
2014223055.tif 000014
【図１３】
2014223055.tif 000015
【図１４】
2014223055.tif 000016
【図１５】
2014223055.tif 000017
【図１６】
2014223055.tif 000018
【図１７】
2014223055.tif 000019
【図１８】
2014223055.tif 000020